(57)【特許請求の範囲】
【請求項１】
不在時あるいは居留守時における不特定な発信元からの呼出に対して通信回線を閉結し、その発信元からの伝達内容を記憶手段の留守録エリアに記録する留守録機能を有する一方、呼出時に発信元に関する通知情報として識別番号を取得可能な通信装置であって、
優先的に再生を所望する相手先の識別番号を特別番号として登録させる第１の特別番号登録手段と、
迷惑電話防止機能に基づいて所望する相手先の識別番号を特別番号として登録させる第２の特別番号登録手段と、
不特定な発信元からの呼出に際して実際に取得された識別番号が、上記第１又は第２の特別番号登録手段によって既に登録された特別番号に一致するか否かを判別する特別番号判別手段と、
上記特別番号判別手段によって、上記実際に取得された識別番号が上記第１の特別番号登録手段によって既に登録された特別番号に一致するとの判別結果が得られた場合、上記記憶手段の留守録エリアとは別枠に設けられた特別枠エリアにその発信元からの伝達内容を記録させ、上記実際に取得された識別番号が上記第２の特別番号登録手段によって既に登録された特別番号に一致するとの判別結果が得られた場合、上記特別枠エリアに、上記第２の特別番号登録手段により登録された識別番号からの伝達内容が既に記憶されていれば、その伝達内容を消去してその発信元からの伝達内容を上書きさせる特別留守録制御手段とを有することを特徴とする通信装置。
【請求項２】
上記第１の特別番号登録手段によって登録された特別番号の発信元からの伝言内容を記録するための特別枠エリアは、上記第１の特別番号登録手段によって登録される特別番号ごとに一定の記録領域をもって設けられている、請求項１に記載の通信装置。
【請求項３】
上記特別番号判別手段によって、上記実際に取得された識別番号が上記第２の特別番号登録手段により登録された特別番号に一致するとの判別結果が得られた場合、呼出時の発信元に対して通常の応答が可能なモードであっても上記特別留守録制御手段による動作が行われる、請求項１または請求項２に記載の通信装置。
【請求項４】
上記記憶手段の特別枠エリアに記録された伝達内容は、上記留守録エリアに対する操作とは別の操作に応じて再生される、請求項１ないし請求項３のいずれかに記載の通信装置。
【請求項５】
上記第１，第２の特別番号登録手段は、不特定な発信元との通信中、またはその発信元との通信終了後、その発信元に関する通知情報として取得した識別番号を使用者の操作に応じて特別番号として登録させている、請求項１ないし請求項４のいずれかに記載の通信装置。
【請求項６】
不在時あるいは居留守時における不特定な発信元からの呼出に対して通信回線を閉結し、その発信元からの伝達内容を記憶手段の留守録エリアに記録する留守録機能を有する一方、呼出時に発信元に関する通知情報として識別番号を取得可能な通信装置を制御するためのプログラムを記憶した記憶媒体であって、
優先的に再生を所望する相手先の識別番号を特別番号として登録させるための第１の特別番号登録プログラムと、
迷惑電話防止機能に基づいて所望する相手先の識別番号を特別番号として登録させる第２の特別番号登録プログラムと、
不特定な発信元からの呼出に際して実際に取得された識別番号が、上記第１又は第２の特別番号登録プログラムに基づいて既に登録された特別番号に一致するか否かを判別するための特別番号判別プログラムと、
上記特別番号判別プログラムに基づいて、上記実際に取得された識別番号が上記第１の特別番号登録プログラムに基づいて既に登録された特別番号に一致するとの判別結果が得られた場合、上記記憶手段の留守録エリアとは別枠に設けられた特別枠エリアにその発信元からの伝達内容を記録させ、上記実際に取得された識別番号が上記第２の特別番号登録プログラムに基づいて既に登録された特別番号に一致するとの判別結果が得られた場合、上記特別枠エリアに、上記第２の特別番号登録プログラムに基づいて登録された識別番号からの伝達内容が既に記憶されていれば、その伝達内容を消去してその発信元からの伝達内容を上書きさせるための特別留守録制御プログラムとを含むプログラムを記憶したことを特徴とする記憶媒体。
【発明の詳細な説明】
【０００１】
【発明の属する技術分野】
本発明は、たとえば留守録機能を備えるとともに、いわゆるナンバーディスプレイ機能を備えた電話装置などの通信装置、およびその通信装置を制御するためのプログラムを記憶した記憶媒体に関する。
【０００２】
【従来の技術】
たとえば最近の電話装置においては、多種多様な機能が付加されており、その機能の一つに、不特定な発信元から呼出があった場合、公衆電話回線を通じてその発信元に関する電話番号を識別番号として取得し、その識別番号を表示することができる、いわゆるナンバーディスプレイ機能を備えたものがある。
【０００３】
一方、不在時あるいは居留守時における不特定な発信元からの呼出に対して回線を閉結状態とし、その発信元からの伝言メッセージをメモリの留守録エリアに記録する留守録機能を備えた留守番電話もある。
【０００４】
さらに、ナンバーディスプレイ機能を利用し、特定の電話番号に該当する発信元から呼出があった場合、その発信元については、通話を拒否して「お客様の都合によりお受けできません」などという応答メッセージを通知するとともに、呼出音を鳴らさない迷惑電話防止機能を備えたものもある。
【０００５】
【発明が解決しようとする課題】
しかし、上記従来の各種機能を有する電話装置では、留守録モード時、呼出順に発信元からの伝言メッセージがメモリの留守録エリアに記録されるが、不特定多数の発信元から呼出があった場合、留守録エリアのサイズを超えては伝言メッセージを記録することができず、ある特別な発信元からの重要な伝言メッセージであっても留守録エリアの空き領域が無い場合には、留守録できないものとされていた。
【０００６】
また、迷惑電話防止機能によっては、応答メッセージの通知や呼出音を鳴らさないことにより、特定の発信元に対して所要の対策が施されているが、そのような重要性の低い特定の発信元からの呼出であっても、伝言メッセージを聞きたいというユーザの要望があった。そして、そのような重要性の低い伝言メッセージを通常の伝言メッセージと混在して留守録エリアに記録させることも考えられるが、とりわけて重要でもない伝言メッセージの記録サイズが大きくなると、本来的に必要である伝言メッセージが留守録エリアに留守録できないという不都合も生じ、メモリを有効に活用することができなかった。
【０００７】
本発明は、上記の点に鑑みて提案されたものであって、メモリなどの記憶手段を有効に活用し、特別な発信元からの伝達内容を重要度に応じて記録に残すことができる通信装置、およびその通信装置を制御するためのプログラムを記憶した記憶媒体を提供することを目的とする。
【０００８】
【課題を解決するための手段】
上記の目的を達成するために、請求項１に記載した発明の通信装置は、不在時あるいは居留守時における不特定な発信元からの呼出に対して通信回線を閉結し、その発信元からの伝達内容を記憶手段の留守録エリアに記録する留守録機能を有する一方、呼出時に発信元に関する通知情報として識別番号を取得可能な通信装置であって、優先的に再生を所望する相手先の識別番号を特別番号として登録させる第１の特別番号登録手段と、迷惑電話防止機能に基づいて所望する相手先の識別番号を特別番号として登録させる第２の特別番号登録手段と、不特定な発信元からの呼出に際して実際に取得された識別番号が、上記第１又は第２の特別番号登録手段によって既に登録された特別番号に一致するか否かを判別する特別番号判別手段と、上記特別番号判別手段によって、上記実際に取得された識別番号が上記第１の特別番号登録手段によって既に登録された特別番号に一致するとの判別結果が得られた場合、上記記憶手段の留守録エリアとは別枠に設けられた特別枠エリアにその発信元からの伝達内容を記録させ、上記実際に取得された識別番号が上記第２の特別番号登録手段によって既に登録された特別番号に一致するとの判別結果が得られた場合、上記特別枠エリアに、上記第２の特別番号登録手段により登録された識別番号からの伝達内容が既に記憶されていれば、その伝達内容を消去してその発信元からの伝達内容を上書きさせる特別留守録制御手段とを有することを特徴としている。
【０００９】
このような通信装置によれば、たとえばメモリなどの記憶手段を利用して留守録する場合、不特定な発信元からの伝達内容については、記憶手段に設けられた留守録エリアに記録される一方、第１の特別番号登録手段によって登録された特別な発信元からの伝達内容は、その留守録エリアとは別枠に設けられた特別枠エリアに記録される。つまり、特別な発信元の識別番号を特別番号として登録しておくだけで、その特別な発信元からの伝達内容が別の記録領域に残されるので、記憶手段を有効に活用しつつ、重要度に応じて所望の発信元からの伝達内容を、不特定多数によるものとは別枠で記録に残すことができる。また、第２の特別番号登録手段によって登録された特別な発信元からの伝達内容は、特別枠エリアに伝達内容が記録される際、過去の呼出に応じて既に記録された伝達内容が消去されて上書き記録されるので、たとえば応答を拒否したい発信元の伝達内容を特別枠エリアに記録させるものとすれば、記憶手段に必要最低限度の特別枠エリアを確保しておくだけで、さほど重要でない発信元からの伝達内容を繰り返し記録に残すことができ、メモリなどの記憶手段の効率的な利用を図ることができる。
【００１０】
また、請求項２に記載した発明の通信装置は、請求項１に記載の通信装置であって、上記第１の特別番号登録手段によって登録された特別番号の発信元からの伝言内容を記録するための特別枠エリアは、上記第１の特別番号登録手段によって登録される特別番号ごとに一定の記録領域をもって設けられている。
【００１１】
このような通信装置によれば、請求項１に記載の通信装置による効果に加えて、特別枠エリアが第１の特別番号登録手段によって登録された特別番号ごとに一定の記憶領域をもって記憶手段に設けられるので、たとえば重要度の高い発信元からの識別番号を特別番号として登録しておけば、重要度の高い伝達内容を各発信元ごとに分けて確実に記録に残しておくことができる。
【００１２】
さらに、請求項３に記載した発明の通信装置は、請求項１または請求項２に記載の通信装置であって、上記特別番号判別手段によって、上記実際に取得された識別番号が上記第２の特別番号登録手段により登録された特別番号に一致するとの判別結果が得られた場合、呼出時の発信元に対して通常の応答が可能なモードであっても上記特別留守録制御手段による動作が行われる。
【００１３】
このような通信装置によれば、請求項１または請求項２に記載の通信装置による効果に加えて、呼出時の発呼相手となる発信元に対して通常の応答が可能なモードであっても、第２の特別番号登録手段によって登録された特別番号に該当する発信元の場合は、その発信元からの伝達内容が特別枠エリアに記録されて残されるので、たとえば応答を拒否したい発信元からの呼出であった場合などにおいて、面倒な切換操作を必要とすることなく、重要度の低い伝達内容を留守録エリアとは別の記録領域に自動的に残すことができる。
【００１４】
また、請求項４に記載した発明の通信装置は、請求項１ないし請求項３のいずれかに記載の通信装置であって、上記記憶手段の特別枠エリアに記録された伝達内容は、上記留守録エリアに対する操作とは別の操作に応じて再生される。
【００１５】
このような通信装置によれば、請求項１ないし請求項３のいずれかに記載の通信装置による効果に加えて、特別枠エリアに記録された伝達内容は、不特定な発信元の伝達内容を記録した留守録エリアに対する操作とは別の操作で再生されるので、特別番号に該当する発信元からの伝言メッセージなどを特別な操作手順により聞き出すことができる。したがって、伝言メッセージなどの再生を優先したい相手の識別番号をあらかじめ特別番号として登録しておけば、その相手からの伝言メッセージのみを優先的に聞き出せるといった処理が可能となる。
【００１６】
さらに、請求項５に記載した発明の通信装置は、請求項１ないし請求項４のいずれかに記載の通信装置であって、上記第１，第２の特別番号登録手段は、不特定な発信元との通信中、またはその発信元との通信終了後、その発信元に関する通知情報として取得した識別番号を使用者の操作に応じて特別番号として登録させている。
【００１７】
このような通信装置によれば、請求項１ないし請求項４のいずれかに記載の通信装置による効果に加えて、不特定な発信元からの呼出に応じて応答することで通信を開始した後、その発信元を特別な相手として今後の呼出時に対処する場合、その発信元との通信中、あるいはその発信元との通信終了後、呼出に応じて取得した識別番号を登録することにより、その発信元からの今後の呼出の際には、その発信元からの伝達内容を記憶手段の特別枠エリアに記録することができる。
【００１８】
【００１９】
【００２０】
さらに、請求項６に記載した発明の記憶媒体は、不在時あるいは居留守時における不特定な発信元からの呼出に対して通信回線を閉結し、その発信元からの伝達内容を記憶手段の留守録エリアに記録する留守録機能を有する一方、呼出時に発信元に関する通知情報として識別番号を取得可能な通信装置を制御するためのプログラムを記憶した記憶媒体であって、優先的に再生を所望する相手先の識別番号を特別番号として登録させるための第１の特別番号登録プログラムと、迷惑電話防止機能に基づいて所望する相手先の識別番号を特別番号として登録させる第２の特別番号登録プログラムと、不特定な発信元からの呼出に際して実際に取得された識別番号が、上記第１又は第２の特別番号登録プログラムに基づいて既に登録された特別番号に一致するか否かを判別するための特別番号判別プログラムと、上記特別番号判別プログラムに基づいて、上記実際に取得された識別番号が上記第１の特別番号登録プログラムに基づいて既に登録された特別番号に一致するとの判別結果が得られた場合、上記記憶手段の留守録エリアとは別枠に設けられた特別枠エリアにその発信元からの伝達内容を記録させ、上記実際に取得された識別番号が上記第２の特別番号登録プログラムにより登録された特別番号に一致するとの判別結果が得られた場合、上記特別枠エリアに、上記第２の特別番号登録プログラムに基づいて登録された識別番号からの伝達内容が既に記憶されていれば、その伝達内容を消去してその発信元からの伝達内容を上書きさせるための特別留守録制御プログラムとを含むプログラムを記憶したことを特徴としている。
【００２１】
このような記憶媒体によれば、記憶されたプログラムに基づいてＣＰＵを動作させることにより、請求項１に記載の通信装置の動作を実現することができる。
【００２２】
【発明の実施の形態】
以下、本発明の好ましい実施の形態について図面を参照して具体的に説明する。
【００２３】
図１は、本発明にかかる通信装置をファクシミリ装置に適用した場合の一実施形態を示した回路ブロック図であって、この図に示すファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、記録部１２、操作部１３、および表示部１４が接続されている。ＮＣＵ２には、公衆電話回線１６が接続されている。
【００２４】
ＣＰＵ１は、ファクシミリ装置全体を制御する。ＮＣＵ２は、公衆電話回線１６に接続されて網制御を行う。なお、ＮＣＵ２には、図示省略するが送受話器や呼出時に呼出音を鳴動するための呼出ベルが備えられている。ＲＡＭ３は、充電電池などにより電源バックアップが施されており、ＣＰＵ１の作業領域や各種音声データなどの記録領域を提供する。モデム４は、ファクシミリデータの変調や復調などを行う一方、後述するコーラＩＤ信号を復調する機能を有している。ＲＯＭ５は、各種のプログラムや設定値などのデータを記憶している。ＥＥＰＲＯＭ６は、各種のフラグや設定データなどを記憶する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００２５】
読取部１１は、光源やイメージセンサなどを備えており、読取原稿から画像を読み取って画像信号を出力する。記録部１２は、たとえばインクジェット方式などの印刷装置を備えており、記録用紙上に印刷画像を形成する。操作部１３は、使用者の入力操作に応じた入力信号を出力する。表示部１４は、各種メッセージや後述する識別番号などを表示するためのＬＣＤなどからなるディスプレイを備えている。
【００２６】
本発明の要点について説明すると、ファクシミリ装置は、不特定な発信元から呼出があった場合、公衆電話回線１６を通じてその発信元に関する通知情報として発信元の電話番号（以下、「識別番号」という）を取得し、その識別番号を表示部１４にて表示することができる、いわゆるナンバーディスプレイ機能を備えたものである。また、不特定な発信元からの呼出に際しては、使用者のオフフック操作に応じて通話を行い得る通常応答モードとは別に、公衆電話回線１６を自動閉結して発信元からの伝言メッセージなどをＲＡＭ３に記録する留守録モード（留守録機能）が備えられている。さらに、ナンバーディスプレイ機能を利用し、特定の電話番号に該当する発信元から呼出があった場合、その発信元については、通話を拒否して「お客様の都合によりお受けできません」などという応答メッセージを通知するとともに、呼出音を鳴らさない迷惑電話防止機能も備えられている。
【００２７】
さらに具体的に説明すると、ＲＡＭ３には、不在時あるいは居留守時における不特定な発信元からの呼出に際し、その発信元からの伝言メッセージを音声データとして記録するための留守録エリアが予め設けられている。一方、留守録エリアとは別に、ＲＡＭ３には、所望とする特別な発信元からの呼出に際して取得され得る識別番号を特別番号として登録しておくための特別番号登録エリアが設けられている。さらに、特別番号登録エリアに登録された特別番号ごとに対応して、ＲＡＭ３には、その特別番号に該当する特別な発信元からの伝言メッセージを記録するために、上記留守録エリアとは別枠として特別枠エリアが確保される。このような特別枠エリアは、特別番号が設定登録されるごとに一定のサイズをもって生成される。また、特別枠エリアは、主に呼出があった特別番号に該当する発信元の伝言メッセージを、必然的に記録するための記録領域であるが、通話を拒否したい発信元の伝言メッセージを記録するためにも用いられ、迷惑電話防止機能に基づいていわゆるブラックリスト番号として特別番号を設定登録した場合にも生成される。このようなブラックリスト番号を設定登録した場合には、そのブラックリスト番号に対応する特別枠エリアのサイズは、せいぜい１０秒前後の音声データを記録可能として設定される。一方、通常の特別番号ごとに生成される各特別枠エリアは、所定件数分の音声データが十分に記録可能なサイズをもって確保される。
【００２８】
このようなファクシミリ装置が通常応答モードの場合、発信元からの呼出時、公衆電話回線１６を通じて取得された識別番号が表示部１４にて表示されるとともに、ＮＣＵ２の制御によって呼出音が鳴動し、それに応じて使用者がオフフック操作することで通話可能な状態となる。また、留守録モードの場合、識別番号の表示とともに呼出音が鳴動するまでは、上記通常応答モードと同様であるが、呼出音の回数が所定の回数に達すると、公衆電話回線１６が自動閉結されて発信元に接続されるとともに、それに応じて発信元から伝えられた伝言メッセージが音声データとしてＲＡＭ３の留守録エリアに記録される。この際、ＣＰＵ１は、呼出に際して取得した識別番号が既にＲＡＭ３に設定登録された特別番号に一致するか否かを判別しており、識別番号が特別番号に一致する場合、ＣＰＵ１は、ＲＡＭ３の留守録エリアとは別枠に設けられた特別枠エリアに発信元から伝えられた伝言メッセージを記録させる。一方、通常応答モードであっても、識別番号がブラックリスト番号に一致する場合、ＣＰＵ１は、迷惑電話防止機能を働かせ、動作状態を通常応答モードから留守録モードに切り換えるとともに、そのブラックリスト番号に対応してＲＡＭ３に確保された特別枠エリアに発信元からの伝言メッセージを記録させる。ブラックリスト番号に該当する発信元の伝言メッセージが特別枠エリアに記録される場合には、その特別枠エリアに既に記録されている伝言メッセージの消去と同時に現時点での伝言メッセージが上書き記録される。以上の処理によりＲＡＭ３の特別枠エリアに記録された伝言メッセージは、通常の留守録エリアに記録された伝言メッセージを再生する操作手順とは異なる別の操作手順により再生可能とされている。
【００２９】
すなわち、ＲＡＭ３は、不在時あるいは居留守時における不特定な発信元からの呼出に対してその発信元からの伝達内容を記録しておくための留守録エリアを備えた記憶手段を実現している。
【００３０】
ＣＰＵ１は、所望とする相手先の識別番号を特別番号として登録させる特別番号登録手段と、不特定な発信元からの呼出に際して実際に取得された識別番号が、特別番号登録手段によって既に登録された特別番号に一致するか否かを判別する特別番号判別手段と、特別番号判別手段によって、上記実際に取得された識別番号が特別番号に一致するとの判別結果が得られた場合、記憶手段の留守録エリアとは別枠に設けられた特別枠エリアにその発信元からの伝達内容を記録させる特別留守録制御手段とを実現している。
【００３１】
ＲＯＭ５は、不在時あるいは居留守時における不特定な発信元からの呼出に対して通信回線を閉結し、その発信元からの伝達内容を記憶手段の留守録エリアに記録する留守録機能を有する一方、呼出時に発信元に関する通知情報として識別番号を取得可能な通信装置を制御するためのプログラムを記憶した記憶媒体であって、所望とする相手先の識別番号を特別番号として登録させるための特別番号登録プログラムと、不特定な発信元からの呼出に際して実際に取得された識別番号が、上記特別番号登録プログラムに基づいて既に登録された特別番号に一致するか否かを判別するための特別番号判別プログラムと、上記特別番号判別プログラムに基づいて、上記実際に取得された識別番号が特別番号に一致するとの判別結果が得られた場合、上記記憶手段の留守録エリアとは別枠に設けられた特別枠エリアにその発信元からの伝達内容を記録させるための特別留守録制御プログラムとを含むプログラムを記憶した記憶媒体を実現している。
【００３２】
次に、上記構成を有するファクシミリ装置の主に通話処理における動作について図面を参照して説明する。
【００３３】
図２は、留守録モードにおけるＣＰＵ１の動作手順を示したフローチャートであって、この図に示す留守録モードは、一般的な順序で動作が行われる場合の一例を示したものであり、必ずしもこの図に示す順序であるとは限らない。また、動作手順を明確とするために、所望とする特別な発信元からの呼出があった場合の動作を主要動作として図示説明する。
【００３４】
図２に示すように、まず、ＣＰＵ１は、公衆電話回線１６を通じて不特定な発信元から起動信号を受信したか否かを判断している（Ｓ１）。
【００３５】
起動信号を受信した場合（Ｓ１：ＹＥＳ）、ＣＰＵ１は、その起動信号とともにコーラＩＤ信号を受信したか否かを判断する（Ｓ２）。このコーラＩＤ信号とは、発信元に関する通知情報としてその発信元の電話番号を内容とした信号であって、その信号に含まれる内容は、モデム４によりデジタルデータに変換可能とされている。
【００３６】
そうしてコーラＩＤ信号を受信した場合（Ｓ２：ＹＥＳ）、ＣＰＵ１は、一時的に公衆電話回線１６を閉結させた状態とし（Ｓ３）、ＮＣＵ２を介して取り込んだコーラＩＤ信号をモデム４により復調させることで発信元電話番号を識別番号として取得する（Ｓ４）。こうして取得された識別番号は、履歴番号としてＥＥＰＲＯＭ６に記憶される。
【００３７】
識別番号を取得したＣＰＵ１は、このモードが開始される前の状態と同様に、公衆電話回線１６から開放された状態とする（Ｓ５）。ここまでのＳ３からＳ５までの動作は、使用者から見て非常に短いサイクルタイムで行われる。
【００３８】
その後、ＣＰＵ１は、取得した識別番号を表示部１４にて表示させ（Ｓ６）、呼出信号の受信に応じてＮＣＵ２を駆使して呼出音を鳴動させる（Ｓ７）。この際、ＣＰＵ１は、呼出音の鳴動回数をカウント開始する。
【００３９】
そうして呼出音を鳴動させた後、ＣＰＵ１は、発信元から一方的に回線切断要求を内容とした切断信号を受信したか否かを判断する（Ｓ８）。
【００４０】
発信元から切断信号を受信しない場合（Ｓ８：ＮＯ）、ＣＰＵ１は、呼出音の鳴動を続行させた状況で送受話器などが使用者により持ち上げられることによりオフフックされたか否かを判断する（Ｓ９）。
【００４１】
オフフックされることなく（Ｓ９：ＮＯ）、呼出音の鳴動回数が所定回数に達したことがカウント結果により得られた場合（Ｓ１０：ＹＥＳ）、ＣＰＵ１は、公衆電話回線１６を自動的に閉結させる（Ｓ１１）。この際、ＣＰＵ１は、識別番号の表示や呼出音の鳴動などの動作を停止させる処理を同時に行う。
【００４２】
続いて、ＣＰＵ１は、既に設定登録された特別番号をＲＡＭ３の特別番号登録エリアから読み出し、その特別番号とＳ４の処理によって取得した識別番号とが一致するか否かを判別する（Ｓ１２）。
【００４３】
識別番号が特別番号に一致する場合（Ｓ１２：ＹＥＳ）、ＣＰＵ１は、その特別番号に対応してＲＡＭ３に確保された特別枠エリアに空きがあるか否かを判断する（Ｓ１３）。ここで、特別枠エリアとは、使用者が所望する特定相手先の電話番号を特別番号として設定登録することにより、その特別番号ごとにＲＡＭ３に作成された記憶領域であって、特別番号を設定登録するごとに一定のサイズをもってＲＡＭ３に確保される。
【００４４】
特別枠エリアに空きがある場合（Ｓ１３：ＹＥＳ）、ＣＰＵ１は、特別留守録処理を行う（Ｓ１４）。この特別留守録処理とは、使用者から見て外部的には、後述する通常の留守録処理と同様であるが、内部的には、特別番号に対応してＲＡＭ３に確保された特別枠エリアに、その特別番号に該当する発信元からの伝言メッセージを記録させる処理である。
【００４５】
このような特別留守録処理が行われている間、ＣＰＵ１は、Ｓ８と同様に、発信元から一方的に回線切断要求を内容とした切断信号を受信したか否かを判断する（Ｓ１５）。
【００４６】
そうして、発信元から切断信号を受信した場合（Ｓ１５：ＹＥＳ）、ＣＰＵ１は、特別留守録処理をその時点で中断させるとともに、公衆電話回線１６から開放させた状態とし（Ｓ１６）、この留守録モードにかかるプログラムの実行を終了して再び元の待機状態となる。
【００４７】
Ｓ１５において、発信元から切断信号を受信しない場合（Ｓ１５：ＮＯ）、ＣＰＵ１は、Ｓ１４の特別留守録処理を続行させる。
【００４８】
Ｓ１３において、特別枠エリアに空きがない場合（Ｓ１３：ＮＯ）、ＣＰＵ１は、ＲＡＭ３に予め設けられた留守録エリアに空きがあるか否かを判断する（Ｓ１７）。
【００４９】
留守録エリアに空きがある場合（Ｓ１７：ＹＥＳ）、ＣＰＵ１は、通常留守録処理を行う（Ｓ１８）。この通常留守録処理とは、発信元からの伝言メッセージをＲＡＭ３に予め設けられた留守録エリアに呼出順に記録させる処理である。
【００５０】
このような通常留守録処理が行われている間、ＣＰＵ１は、Ｓ１５と同様に、発信元からの切断信号を受信したか否かを判断し（Ｓ１９）、切断信号を受信した場合（Ｓ１９：ＹＥＳ）、ＣＰＵ１は、通常留守録処理を中断させるとともに、公衆電話回線１６から開放させた状態とし（Ｓ２０）、この留守録モードにかかるプログラムの実行を終了して再び元の待機状態となる。
【００５１】
Ｓ１９において、発信元から切断信号を受信しない場合（Ｓ１９：ＮＯ）、ＣＰＵ１は、Ｓ１８の通常留守録処理を続行させる。
【００５２】
Ｓ１７において、留守録エリアに空きがない場合（Ｓ１７：ＮＯ）、ＣＰＵ１は、Ｓ１８の通常留守録処理を行うことなく、Ｓ２０に飛んで再び元の待機状態となる。
【００５３】
Ｓ１２において、識別番号が特別番号に一致しない場合（Ｓ１２：ＮＯ）、つまり、ＲＡＭ３の特別番号登録エリアに現呼出時点で取得された識別番号と同一の特別番号が登録されていない場合、ＣＰＵ１は、Ｓ１７に移行して通常の留守録処理を行う。
【００５４】
Ｓ１０において、呼出音の鳴動回数が所定回数に達したことがカウント結果により得られない場合（Ｓ１０：ＮＯ）、ＣＰＵ１は、その鳴動回数が所定回数に達するまでＳ８を繰り返し実行する。
【００５５】
Ｓ９において、呼出音の鳴動により使用者によってオフフックされた場合（Ｓ９：ＹＥＳ）、ＣＰＵ１は、回線を閉結させるとともに（Ｓ２１）、それとほぼ同時に識別番号の表示や呼出音の鳴動の動作を停止させる処理を行う（Ｓ２２）。これにより、留守録モードであっても通常応答モードと同様にして、発信元と公衆電話回線１６を通じて音声信号などを双方向に伝送可能な通話処理が行われることとなる。
【００５６】
以上のような処理動作中、ＣＰＵ１は、通話を終了した使用者によって送受話器などが元のセット位置に置かれることでオンフックされたか否かを判断している（Ｓ２３）。
【００５７】
オンフックされた場合（Ｓ２３：ＹＥＳ）、ＣＰＵ１は、公衆電話回線１６から開放させた状態とし（Ｓ２４）、この留守録モードにかかるプログラムの実行を終了して再び元の待機状態となる。
【００５８】
Ｓ２３において、オンフックされない場合（Ｓ２３：ＮＯ）、ＣＰＵ１は、繰り返しオンフックされるまで通話処理を続行させる。
【００５９】
Ｓ８において、発信元から切断信号を受信した場合（Ｓ８：ＹＥＳ）、ＣＰＵ１は、Ｓ２２と同様に識別番号の表示や呼出音の鳴動の動作を停止させる処理を行い（Ｓ２５）、この留守録モードにかかるプログラムの実行を終了して再び元の待機状態となる。
【００６０】
Ｓ２において、コーラＩＤ信号を受信しない場合（Ｓ２：ＮＯ）、ＣＰＵ１は、Ｓ６の識別番号を表示させる処理を行うことなく、Ｓ７に飛んで呼出音による鳴動を開始させる。
【００６１】
Ｓ１において、起動信号を受信しない場合（Ｓ１：ＮＯ）、ＣＰＵ１は、このＳ１の判断を繰り返し行うことで起動信号を受信するまで待機状態を続ける。
【００６２】
以上のＣＰＵ１による一連の処理動作により、ＲＡＭ３の特別枠エリアまたは留守録エリアごとに所望の発信元からの伝言メッセージが記録されることとなる。特別枠エリアに記録された伝言メッセージは、特に使用者が指定した特別な発信元からの伝達内容として得られたものであって、この特別枠エリアの伝言メッセージは、通常の再生操作とは別の再生操作に応じて使用者が聞き取り可能とされている。たとえば、優先したい相手先を特別番号としてあらかじめ登録しておけば、その相手からの伝言メッセージは特別枠エリアに記録され、通常の留守録処理（Ｓ１８）による伝言メッセージの再生と区別して優先的に聞くことができる。
【００６３】
続いて、図３は、通常応答モードにおけるＣＰＵ１の動作手順を示したフローチャートであって、この図に示す通常応答モードは、図２に示した留守録モードと同様に、一般的な順序で動作が行われる場合の一例を示したものであり、必ずしもこの図に示す順序であるとは限らない。また、動作手順を明確とするために、迷惑電話防止機能に基づく動作を主要動作として図示説明し、留守録モードと共通する動作については、その説明を省略する。
【００６４】
図３に示すように、Ｓ３１〜Ｓ３６の処理動作については、図２に示すＳ１〜Ｓ６の処理動作と同じである。
【００６５】
Ｓ３６に続いて、ＣＰＵ１は、ブラックリスト番号として設定登録された特別番号をＲＡＭ３の特別番号登録エリアから読み出し、そのブラックリスト番号とＳ３４の処理によって取得した識別番号とが一致するか否かを判別する（Ｓ３７）。
【００６６】
識別番号がブラックリスト番号に一致する場合（Ｓ３７：ＹＥＳ）、ＣＰＵ１は、迷惑電話防止処理を行う（Ｓ３８）。この迷惑電話防止処理とは、通話を拒否して「お客様の都合によりお受けできませんので、メッセージをお願いします」などという応答メッセージを通知するとともに、呼出音を鳴らさない処理である。この際、ＣＰＵ１は、通常応答モードから留守録モードに動作を切り換える。
【００６７】
さらに続いて、迷惑電話防止処理を行ったＣＰＵ１は、ブラックリスト留守録処理を行う（Ｓ３９）。このブラックリスト留守録処理とは、使用者から見て外部的には、先述の留守録処理と同様であるが、内部的には、ブラックリスト番号に対応してＲＡＭ３に確保された特別枠エリアに、そのブラックリスト番号の発信元からの伝言メッセージを記録させる処理である。
【００６８】
このようなブラックリスト留守録処理を開始したＣＰＵ１は、ブラックリスト番号に対応するＲＡＭ３の特別枠エリアに発信元からの伝言メッセージを上書き記録させる（Ｓ４０）。この上書き記録に際しては、その特別枠エリアに既に記録されている伝言メッセージの消去と同時に現呼出時点での伝言メッセージが上書き記録され、１０秒前後の音声によるメッセージの記録が可能とされている。
【００６９】
その後、ＣＰＵ１は、公衆電話回線１６から開放させた状態とし（Ｓ４１）、この通常応答モードにかかるプログラムの実行を終了して再び元の待機状態となる。
【００７０】
Ｓ３７において、識別番号がブラックリスト番号に一致しない場合（Ｓ３７：ＮＯ）、つまり、ＲＡＭ３の特別番号登録エリアに現呼出時点で取得された識別番号と同一のブラックリスト番号が登録されていない場合、ＣＰＵ１は、通常の応答処理を行うことにより、呼出信号の受信に応じてＮＣＵ２を駆使して呼出音を鳴動させる（Ｓ４２）。
【００７１】
そうして呼出音を鳴動させた後、ＣＰＵ１は、発信元から一方的に回線切断要求を内容とした切断信号を受信したか否かを判断する（Ｓ４３）。
【００７２】
発信元から切断信号を受信しない場合（Ｓ４３：ＮＯ）、ＣＰＵ１は、呼出音の鳴動を続行させた状況で送受話器などが使用者により持ち上げられることによりオフフックされたか否かを判断する（Ｓ４４）。
【００７３】
呼出音の鳴動により使用者によってオフフックされた場合（Ｓ４４：ＹＥＳ）、ＣＰＵ１は、回線を閉結させるとともに（Ｓ４５）、それとほぼ同時に識別番号の表示や呼出音の鳴動の動作を停止させる処理を行う（Ｓ４６）。これにより、発信元と公衆電話回線１６を通じて音声信号などを双方向に伝送可能な通話処理が行われることとなる。
【００７４】
以上のような通話処理期間中、ＣＰＵ１は、使用者により特別番号登録操作がされたか否かを判断している（Ｓ４７）。
【００７５】
使用者により特別番号登録操作がされた場合（Ｓ４７：ＹＥＳ）、ＣＰＵ１は、特別番号登録処理を実行する（Ｓ４８）。この特別番号登録処理とは、Ｓ３４にて取得した識別番号を特別番号としてＥＥＰＲＯＭ６に登録させる処理であって、このＳ４８により登録された特別番号が先述のＳ３７や、図２に示すＳ１２における判断対象として用いられることとなる。
【００７６】
通話中に特別番号登録操作がされない場合（Ｓ４７：ＮＯ）、ＣＰＵ１は、Ｓ４８の特別番号登録処理を実行することなく後述のＳ４９に飛ぶ。
【００７７】
以上のような処理動作中、ＣＰＵ１は、通話を終了した使用者によって送受話器などが元のセット位置に置かれることでオンフックされたか否かを判断している（Ｓ４９）。
【００７８】
オンフックされた場合（Ｓ４９：ＹＥＳ）、ＣＰＵ１は、公衆電話回線１６から開放させた状態とし（Ｓ５０）、この通常応答モードにかかるプログラムの実行を終了して再び元の待機状態となる。
【００７９】
Ｓ４９において、オンフックされない場合（Ｓ４９：ＮＯ）、ＣＰＵ１は、Ｓ４７に戻って繰り返しオンフックされるまで通話処理を続行させる。
【００８０】
Ｓ４４において、使用者によりオフフックされない場合（Ｓ４４：ＮＯ）、ＣＰＵ１は、Ｓ４３に戻って発信元から切断信号を受信するまで繰り返し呼出音の鳴動を続ける。
【００８１】
Ｓ４３において、呼出音の鳴動中、発信元から切断信号を受信した場合（Ｓ４３：ＹＥＳ）、ＣＰＵ１は、Ｓ４６と同様に識別番号の表示や呼出音の鳴動の動作を停止させる処理を行い（Ｓ５１）、この通常応答モードにかかるプログラムの実行を終了して再び元の待機状態となる。
【００８２】
Ｓ３２において、コーラＩＤ信号を受信しない場合（Ｓ３２：ＮＯ）、ＣＰＵ１は、Ｓ３６の識別番号を表示させる処理を行うことなく、Ｓ４２に飛んで呼出音による鳴動を開始させる。
【００８３】
以上のＣＰＵ１による一連の処理動作により、ＲＡＭ３の特別枠エリアにブラックリストに該当する発信元からの伝言メッセージが記録されることとなる。そうして特別枠エリアに記録された伝言メッセージは、特に使用者がブラックリストとして指定した発信元からの音声であって、このブラックリストからの音声は、通常の再生操作とは別の再生操作に応じて使用者が聞き取り可能とされている。つまり、通常の留守録処理（図２のＳ１８）による伝言メッセージの再生と区別して、ブラックリストの相手からの伝言メッセージを聞くことができる。
【００８４】
したがって、上記構成、動作を有するファクシミリ装置によれば、ファクシミリ通信にも利用されるＲＡＭ３を利用して留守録する場合、不特定な発信元からの伝言メッセージについては、ＲＡＭ３に予め設けられた留守録エリアに記録される一方、使用者が所望する発信元からの伝言メッセージは、その留守録エリアとは別枠に設けられた特別枠エリアに記録される。つまり、使用者が特別に指定した発信元からの識別番号を特別番号として登録しておくだけで、所望の発信元からの伝言メッセージが別の記録領域に残されるので、ＲＡＭ３を有効に活用しつつ、重要度に応じて所望の発信元からの伝言メッセージを、不特定多数によるものとは別枠で記録に残すことができる。
【００８５】
また、不特定な発信元からの呼出に応じて応答することで通話を開始した後、その発信元を特別な相手として今後の呼出時に対処する場合、その発信元との通話中、呼出に応じて取得した識別番号を登録することにより、その発信元からの今後の呼出の際には、その発信元からの伝言メッセージをＲＡＭ３の特別枠エリアに記録することができる。
【００８６】
なお、本実施形態においては、特別番号をＲＡＭ３の特別番号登録エリアに設定登録するとしたが、そのような特別番号は、既にＥＥＰＲＯＭ６に記録された履歴番号、電話帳データに含まれる相手先の電話番号、あるいはマニュアルキー入力による入力番号のいずれであっても良い。
【００８７】
また、本実施形態においては、特別番号ごとに記憶エリアを個別に設けるように構成されているが、複数の特別番号に対して所定量の記憶エリアを設け、順次記憶するように構成しても良い。
【００８８】
さらに、一度の再生により、通常の留守録エリアと特別枠エリアとに記憶された両方の伝言メッセージを再生するように構成してもよく、この場合、どちらを先に再生するかの設定を可能とする。
【００８９】
さらにまた、ＲＡＭ３に設定登録された特別番号は、表示部１４にて表示させたり、そのＲＡＭ３から消去したりすることができることも勿論可能である。
【００９０】
さらに、本発明の通信装置は、本実施形態で示したように、ファクシミリ装置に適用されるだけでなく、もちろん通常の据置型や携帯型の電話装置にも適用可能である。
【００９１】
【発明の効果】
以上説明したように、請求項１に記載した発明の通信装置によれば、たとえばメモリなどの記憶手段を利用して留守録する場合、不特定な発信元からの伝達内容については、記憶手段に設けられた留守録エリアに記録される一方、第１の特別番号登録手段によって登録された特別な発信元からの伝達内容は、その留守録エリアとは別枠に設けられた特別枠エリアに記録される。つまり、特別な発信元の識別番号を特別番号として登録しておくだけで、その特別な発信元からの伝達内容が別の記録領域に残されるので、記憶手段を有効に活用しつつ、重要度に応じて所望の発信元からの伝達内容を、不特定多数によるものとは別枠で記録に残すことができる。また、第２の特別番号登録手段によって登録された特別な発信元からの伝達内容は、特別枠エリアに伝達内容が記録される際、過去の呼出に応じて既に記録された伝達内容が消去されて上書き記録されるので、たとえば応答を拒否したい発信元の伝達内容を特別枠エリアに記録させるものとすれば、記憶手段に必要最低限度の特別枠エリアを確保しておくだけで、さほど重要でない発信元からの伝達内容を繰り返し記録に残すことができ、メモリなどの記憶手段の効率的な利用を図ることができる。
【００９２】
また、請求項２に記載した発明の通信装置によれば、請求項１に記載の通信装置による効果に加えて、特別枠エリアが第１の特別番号登録手段によって登録された特別番号ごとに一定の記憶領域をもって記憶手段に設けられるので、たとえば重要度の高い発信元からの識別番号を特別番号として登録しておけば、重要度の高い伝達内容を各発信元ごとに分けて確実に記録に残しておくことができる。
【００９３】
さらに、請求項３に記載した発明の通信装置によれば、請求項１または請求項２に記載の通信装置による効果に加えて、呼出時の発呼相手となる発信元に対して通常の応答が可能なモードであっても、第２の特別番号登録手段によって登録された特別番号に該当する発信元の場合は、その発信元からの伝達内容が特別枠エリアに記録されて残されるので、たとえば応答を拒否したい発信元からの呼出であった場合などにおいて、面倒な切換操作を必要とすることなく、重要度の低い伝達内容を留守録エリアとは別の記録領域に自動的に残すことができる。
【００９４】
また、請求項４に記載した発明の通信装置によれば、請求項１ないし請求項３のいずれかに記載の通信装置による効果に加えて、特別枠エリアに記録された伝達内容は、不特定な発信元の伝達内容を記録した留守録エリアに対する操作とは別の操作で再生されるので、特別番号に該当する発信元からの伝言メッセージなどを特別な操作手順により聞き出すことができる。したがって、伝言メッセージなどの再生を優先したい相手の識別番号をあらかじめ特別番号として登録しておけば、その相手からの伝言メッセージのみを優先的に聞き出せるといった処理が可能となる。
【００９５】
さらに、請求項５に記載した発明の通信装置によれば、請求項１ないし請求項４のいずれかに記載の通信装置による効果に加えて、不特定な発信元からの呼出に応じて応答することで通信を開始した後、その発信元を特別な相手として今後の呼出時に対処する場合、その発信元との通信中、あるいはその発信元との通信終了後、呼出に応じて取得した識別番号を登録することにより、その発信元からの今後の呼出の際には、その発信元からの伝達内容を記憶手段の特別枠エリアに記録することができる。
【００９６】
【００９７】
さらに、請求項６に記載した発明の記憶媒体によれば、記憶されたプログラムに基づいてＣＰＵを動作させることにより、請求項１に記載の通信装置の動作を実現することができる。
【図面の簡単な説明】
【図１】  本発明にかかる通信装置をファクシミリ装置に適用した場合の一実施形態を示した回路ブロック図である。
【図２】  留守録モードにおけるＣＰＵの動作手順を示したフローチャートである。
【図３】  通常応答モードにおけるＣＰＵの動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  記録部
１３  操作部
１４  表示部
【図１】
0003765189.tif 000002
【図２】
0003765189.tif 000003
【図３】
0003765189.tif 000004